(57)【要約】【課題】情報処理装置におけるカーソルの操作性を向上する。【解決手段】表示部におけるカーソルの表示位置の履歴を履歴記憶手段に記録しておき、当該表示位置履歴に基づいて算出したカーソルの予測移動方向にカーソルを指向して表示することにより、ユーザに対してカーソルの運動方向をリアルタイムに提示することができる。また、表示位置履歴に基づいてカーソルの現在の運動ベクトルを算出し、当該運動ベクトルをカーソルとともに表示することにより、操作手段に対する現在の操作状態を続けた場合カーソルがどのように移動するかをユーザに提示することができる。【選択図】　　　　図８
2004013545.tif 000002
【特許請求の範囲】
【請求項１】
所定のカーソルを表示部に表示するカーソル表示手段と、
操作手段に対する操作に応じて、上記表示手段に表示された上記カーソルを移動するカーソル移動手段と、
上記表示部における上記カーソルの表示位置履歴を記憶する履歴記憶手段と、
上記表示位置履歴に基づいて上記カーソルの予測移動方向を算出し、当該算出した予測移動方向に応じて上記カーソルの表示状態を制御する表示状態制御手段と
を具えることを特徴とする情報処理装置。
【請求項２】
上記表示状態制御手段は、上記表示位置履歴に基づいて上記カーソルの現在の運動方向を算出し、上記カーソルを当該算出した運動方向に指向して表示する
ことを特徴とする請求項１に記載の情報処理装置。
【請求項３】
上記表示状態制御手段は、上記表示位置履歴に基づいて上記カーソルの現在の運動ベクトルを算出し、当該運動ベクトルを上記カーソルとともに上記表示部に表示する
ことを特徴とする請求項２に記載の情報処理装置。
【請求項４】
上記表示状態制御手段は、上記表示位置履歴に基づいて上記カーソルの現在の運動ベクトル及び加速度を算出し、当該算出した運動ベクトル及び加速度に基づいて予測した上記カーソルの予測到達位置を上記カーソルとともに上記表示部に表示する
ことを特徴とする請求項２に記載の情報処理装置。
【請求項５】
上記表示状態制御手段は、上記表示位置履歴に基づいて上記カーソルが現在位置から移動する可能性の最も高い予測移動先を算出し、上記カーソルを当該算出した予測移動先に指向して表示する
ことを特徴とする請求項１に記載の情報処理装置。
【請求項６】
操作手段に対するユーザ操作に応じて、所定の表示手段に表示されたカーソルを移動するカーソル移動ステップと、
上記表示部における上記カーソルの表示位置履歴を記憶する履歴記憶ステップと、
上記表示位置履歴に基づいて上記カーソルの運動状態を算出し、当該算出した運動状態に応じて上記カーソルの表示状態を制御する表示状態制御ステップと
を具えることを特徴とする表示制御方法。
【請求項７】
コンピュータに、
操作手段に対するユーザ操作に応じて、所定の表示手段に表示されたカーソルを移動するカーソル移動ステップと、
上記表示部における上記カーソルの表示位置履歴を記憶する履歴記憶ステップと、
上記表示位置履歴に基づいて上記カーソルの運動状態を算出し、当該算出した運動状態に応じて上記カーソルの表示状態を制御する表示状態制御ステップと
を実行させるための表示制御プログラム。
【請求項８】
操作手段に対するユーザ操作に応じて、所定の表示手段に表示されたカーソルを移動するカーソル移動ステップと、
上記表示部における上記カーソルの表示位置履歴を記憶する履歴記憶ステップと、
上記表示位置履歴に基づいて上記カーソルの運動状態を算出し、当該算出した運動状態に応じて上記カーソルの表示状態を制御する表示状態制御ステップと
を具えることを特徴とする表示制御プログラムを情報処理装置に実行させる表示制御プログラム格納媒体。
【発明の詳細な説明】
【０００１】
【発明の属する技術分野】
本発明は情報処理装置に関し、例えばパーソナルコンピュータに適用して好適なものである。
【０００２】
【従来の技術】
従来、パーソナルコンピュータ等の情報処理装置の入力装置として、マウスに代表されるポインティングデバイスが広く用いられている。
【０００３】
かかるマウスが接続された情報処理装置においては、例えば机やマウスパッド等の平面上で当該マウスがユーザによって移動操作されると、表示画面上に表示した例えば矢印形状のマウスカーソルを当該操作に応じて移動表示し、これによりユーザが表示画面上の任意の位置を容易かつ直感的に位置指定（いわゆるポインティング）し得るようになされている。
【０００４】
【発明が解決しようとする課題】
例えば、コンピュータにおいては静止画像中のオブジェクトの輪郭を抽出する技術として輪郭抽出という技法があり、Ｓｏｂｅｌ　Ｏｐｅｒａｔｏｒ等のソフトウェアによって外部から入力された静止画像中から所望のオブジェクトの輪郭を抽出することが行われている。この場合、ユーザはマウスを移動操作して静止画像中のオブジェクトの輪郭をマウスカーソルでなぞることにより、オブジェクトの輪郭を指定する。コンピュータはユーザにより指定された輪郭線に基づいて静止画像からオブジェクトの輪郭を抽出する。
【０００５】
図１１は、オブジェクトとしての円Ｃｉｒｃの輪郭を指定する場合を示し、ユーザは当該円Ｃｉｒｃの輪郭をマウスカーソルＭｃでなぞることによりオブジェクトの輪郭を指定する（以下、これを輪郭指定操作と呼ぶ）。
【０００６】
ここで、時点ｔ＝ｔ０においては円Ｃｉｒｃの内部にマウスカーソルＭｃが重なっており、これにより当該マウスカーソルＭｃの視認性が低下してしまっている。また、時点ｔ＝ｔ１においてはこれからなぞるべき円Ｃｉｒｃの輪郭がマウスカーソルＭｃ自体に隠れてしまっており、このため円Ｃｉｒｃの輪郭を正確に指定できない状態にある。
【０００７】
このように、従来のマウスカーソルは単にポインティング位置を示すだけの機能しか有しておらず、その形状は常に一定である。このためマウスカーソル及び他の表示画像の表示状態によっては、当該マウスカーソルの操作性が悪化する場合があるという問題があった。
【０００８】
本発明は以上の点を考慮してなされたもので、カーソルの操作性に優れた情報処理装置を提案しようとするものである。
【０００９】
【課題を解決するための手段】
かかる課題を解決するため本発明においては、所定のカーソルを表示部に表示するカーソル表示手段と、操作手段に対する操作に応じて、表示手段に表示されたカーソルを移動するカーソル移動手段と、表示部におけるカーソルの表示位置履歴を記憶する履歴記憶手段と、表示位置履歴に基づいてカーソルの予測移動方向を算出し、当該算出した予測移動方向に応じてカーソルの表示状態を制御する表示状態制御手段とを設けるようにする。
【００１０】
そして表示状態制御手段は、表示位置履歴に基づいてカーソルの現在の運動方向を算出し、カーソルを当該算出した運動方向に指向して表示することにより、ユーザに対してカーソルの運動方向をリアルタイムに提示することができ、操作手段を介したカーソルの操作性を向上することができる。
【００１１】
また表示状態制御手段は、表示位置履歴に基づいてカーソルの現在の運動ベクトルを算出し、当該運動ベクトルをカーソルとともに表示部に表示することにより、操作手段に対する現在の操作状態を続けた場合カーソルがどのように移動するかをユーザに提示することができ、操作手段を介したカーソルの使い勝手を向上することができる。
【００１２】
また表示状態制御手段は、表示位置履歴に基づいてカーソルの現在の運動ベクトル及び加速度を算出し、当該算出した運動ベクトル及び加速度に基づいて予測したカーソルの予測到達位置をカーソルとともに表示部に表示することにより、より正確なカーソルの将来位置をユーザに提示することができ、操作手段を介したカーソルの操作性をさらに向上することができる。
【００１３】
また表示状態制御手段は、表示位置履歴に基づいてカーソルが現在位置から移動する可能性の最も高い予測移動先を算出し、カーソルを当該算出した予測移動先に指向して表示することにより、操作手段を介したカーソル操作をアシストして操作性を向上することができる。
【００１４】
【発明の実施の形態】
以下図面について、本発明の一実施の形態を詳述する。
【００１５】
（１）オブジェクト輪郭抽出装置の構成
図１において、１は全体として本発明のオブジェクト輪郭抽出装置の構成を示し、輪郭抽出対象のオブジェクトを含む入力画像Ｓ１を表示する表示部４と、ユーザが入力画像Ｓ１中のオブジェクト輪郭に対する輪郭指定操作を入力する操作手段としてのマウス２と、複数人のユーザによる輪郭指定操作に応じて得られた複数パターンの入力輪郭線に基づいて統合処理を実行することにより、最終的かつ理想的な代表輪郭線を算出する統合処理ブロック３とによって構成されている。
【００１６】
オブジェクト輪郭抽出装置１の統合処理ブロック３は、マウスカーソルＭｃと、内部のハードディスク等から読み出した又は外部から供給された輪郭抽出対象のオブジェクトを含む入力画像Ｓ１とを表示部４に表示する。
【００１７】
この状態において、ユーザはマウス２を移動操作してオブジェクトの輪郭をマウスカーソルでなぞることにより、当該オブジェクトに対する輪郭指定操作を行う。このとき統合処理ブロック３は、ユーザによるマウス２の移動操作に応じてマウスカーソルＭｃを移動表示するとともに、当該マウスカーソルＭｃの軌跡を入力輪郭線として表示部４に表示する。
【００１８】
そして統合処理ブロック３は、複数人のユーザによる輪郭指定操作で得られた複数パターンの入力輪郭線をそれぞれ記憶し、当該複数パターンの入力輪郭線に基づいてオブジェクトに対する代表輪郭線を算出する。
【００１９】
実際上統合処理ブロック３は、図２に示すように変換部９、表示制御手段としての表示処理部１０及び記憶手段としてのデータ蓄積部１１で構成されている。
【００２０】
カーソル表示手段としての表示制御部１０は、マウスカーソルＭｃ及び入力画像Ｓ１を表示部４に表示する。一方変換部９は、操作手段としてのマウス２から供給されるマウス移動量信号に基づいて、表示部４の表示画面上におけるマウスカーソルＭｃの位置を逐次算出し、これをカーソル位置データＤ１として表示制御部１０に供給する。
【００２１】
そしてカーソル移動手段としての表示処理部１０は、カーソル位置データＤ１に基づいてマウスカーソルＭｃを移動表示するとともに、その軌跡（入力輪郭線）を表示部４に表示する。
【００２２】
また表示処理部１０は、複数人のユーザによって入力された複数パターンの入力輪郭線をデータ蓄積部１１に蓄積する。そして表示処理部１０は、複数パターンの入力輪郭線の中から基準となる基準輪郭線を最初に決定し、当該基準輪郭線及び他の複数パターンの入力輪郭線に基づいて、最終的かつ理想的な代表輪郭線を算出する。
【００２３】
（２）オブジェクト輪郭抽出装置におけるマウスカーソルの表示制御
かかる構成に加えて表示状態制御手段としての表示処理部１０は、変換部９から逐次供給されるカーソル位置データＤ１（時刻ｔ、及び当該時刻ｔにおける位置ｓ＝（ｘ，ｙ））を履歴記憶手段としてのデータ蓄積部１１にカーソル位置履歴Ｄ２として蓄積し、当該履歴に基づいてマウスカーソルＭｃの向き等の表示状態を様々に制御することにより、マウス２の操作性を向上するようになされている。以下に、統合処理ブロック３によるマウスカーソルＭｃの表示制御処理を場合分けして説明する。なお表示処理部１０は、後述する各処理を所定の表示制御プログラムに従ってソフトウェア的に実現するようになされている。
【００２４】
（２−１）マウスカーソルの運動状態表示
まず、マウスカーソルＭｃの現在の運動状態に応じた表示制御（運動状態表示）のうち、マウスカーソルＭｃの指向方向制御処理を図３に示すフローチャートを用いて説明する。
【００２５】
図３に示すように、表示状態制御手段としての表示処理部１０は、ルーチンＲＴ１の開始ステップから入ってステップＳＰ１に移る。ステップＳＰ１において表示処理部１０は、データ蓄積部１１からカーソル位置履歴Ｄ２を読み出して次のステップＳＰ２に移り、当該カーソル位置履歴Ｄ２に基づいて現在時刻におけるマウスカーソルＭｃの運動方向を算出する。
【００２６】
そして表示処理部１０は次のステップＳＰ３において、図４に示すように、算出した運動方向とマウスカーソルＭｃの指向方向（矢印の向き）とが一致するようにマウスカーソルＭｃを表示してステップＳＰ１に戻り、再度ステップＳＰ１〜ＳＰ３を繰り返す。
【００２７】
かくして表示処理部１０は、マウスカーソルＭｃを常にその運動方向に指向して表示する。これにより表示処理部１０は、ユーザに対しマウスカーソルＭｃの運動方向をリアルタイムに提示することができ、ユーザによるマウス操作をアシストして当該ユーザの作業効率を向上させることができる。
【００２８】
また表示処理部１０は、マウスカーソルＭｃを常にその運動方向に指向して表示することにより、輪郭指定操作において、これからなぞるべきオブジェクトの輪郭をマウスカーソルＭｃで隠すことなく表示することができ、これによりユーザは確実に輪郭指定操作を行うことができる。
【００２９】
これに加えて表示処理部１０は、マウスカーソルＭｃの現在の運動速度に応じた表示制御をも行い得るようになされている。このマウスカーソルＭｃの運動速度表示処理を図５に示すフローチャートを用いて説明する。
【００３０】
図５に示すように、表示状態制御手段としての表示処理部１０は、ルーチンＲＴ２の開始ステップから入ってステップＳＰ１１に移る。ステップＳＰ１１において表示処理部１０は、データ蓄積部１１からカーソル位置履歴Ｄ２を読み出して次のステップＳＰ１２に移り、当該カーソル位置履歴Ｄ２に基づいて、現在時刻におけるマウスカーソルＭｃの速度ｖを算出する。なお速度ｖは、各時刻ｔにおけるマウスカーソルＭｃの位置をｓ＝（ｘ，ｙ）とすると、次式で求められる。
【００３１】
【数１】
2004013545.tif 000003
【００３２】
そして表示処理部１０は次のステップＳＰ１３において、図６に示すように、算出したマウスカーソルＭｃの速度ｖに応じた長さの直線の矢印でなるガイドＧｄを、マウスカーソルＭｃとともに表示してステップＳＰ１１に戻り、再度ステップＳＰ１１〜ＳＰ１３を繰り返す。
【００３３】
このガイドＧｄはマウスカーソルＭｃの速度ベクトルを視覚的に表示したものであり、表示処理部１０は当該ガイドＧｄを介して、マウス２に対する現在の操作状態を続けた場合マウスカーソルＭｃがどの位置に移動するかをユーザに提示することができる。このためユーザは、ガイドＧｄの方向及び長さに基づいてマウス２を移動操作することにより、マウスカーソルＭｃの運動状態を把握しながら、意図した通りの輪郭指定操作を行うことができる。
【００３４】
また表示処理部１０は、上述した直線の矢印でなるガイドＧｄに代えて、図８に示すような円弧の矢印でなる円弧ガイドＧｒを表示することもできる。この場合の運動状態表示処理を図７に示すフローチャートを用いて説明する。
【００３５】
図７に示すように、表示状態制御手段としての表示処理部１０は、ルーチンＲＴ３の開始ステップから入ってステップＳＰ２１に移る。ステップＳＰ２１において、表示状態制御手段としての表示処理部１０は、データ蓄積部１１からカーソル位置履歴Ｄ２を読み出して次のステップＳＰ２２に移り、マウスカーソルＭｃの現在位置（ｘ１，ｙ１）とカーソル位置履歴Ｄ２から取得した過去２つの位置（ｘ２，ｙ２）及び（ｘ３，ｙ３）の計３点を通る基準円を算出する。この基準円の中心（ｘＣ，ｙＣ）、及び半径ｒは次式で求められる。
【００３６】
【数２】
2004013545.tif 000004
【００３７】
続いて表示処理部１０は次のステップＳＰ２３において、現在時刻におけるマウスカーソルＭｃの速度ｖに基づいて円弧の開き角θを算出する。この開き角θは次式で求められる。
【００３８】
【数３】
2004013545.tif 000005
【００３９】
そして表示処理部１０はステップＳＰ２４において、算出した基準円と開き角θとに基づいて円弧ガイドＧｒを生成し、これをマウスカーソルＭｃとともに表示部４に表示して（図８）ステップＳＰ２１に戻り、再度ステップＳＰ２１〜ＳＰ２４を繰り返す。
【００４０】
この円弧ガイドＧｒはマウスカーソルＭｃの運動状態を視覚的に表示したものであり、表示処理部１０は当該円弧ガイドＧｒを介して、マウス２に対する現在の操作状態を続けた場合マウスカーソルＭｃがどのように移動するかをユーザに提示することができる。このためユーザは、円弧ガイドＧｒとオブジェクトの輪郭とが一致するようにマウス２を移動操作することにより、マウスカーソルＭｃの運動状態を把握しながら意図した通りの輪郭指定操作を行うことができる。
【００４１】
（３）データベースに基づくマウスカーソルの表示制御
かかる構成に加えてこのオブジェクト輪郭抽出装置１においては、上述した輪郭指定操作以外の操作、すなわちメニューの選択やアイコンのクリック等といった通常のマウス操作においても、カーソル位置の履歴に基づくマウスカーソルＭｃの表示制御を行うようになされている。
【００４２】
すなわち表示処理部１０は、表示部４の表示画面における各画素について、マウスカーソルＭｃが当該画素から次にどの画素へ移動したかという統計情報を、データ蓄積部１１内に移動履歴データベースに逐次蓄積する。この表示位置履歴としての移動履歴データベースは、ユーザ毎に作成しても、複数のユーザの操作履歴を統合して作成してもよい。
【００４３】
図９はこの移動履歴データベースを視覚的に表現したものであり、中央に示す基準画素の周囲の各画素について、当該基準画素からマウスカーソルＭｃが移動した頻度が度数として記録されている。移動履歴データベースはこのような頻度データを各画素について保持している。マウスカーソルＭｃがある画素で停止した場合、当該マウスカーソルＭｃが次に移動する画素の候補としては、頻度データのうちの最大度数画素である可能性が最も高い。
【００４４】
表示状態制御手段としての表示処理部１０は、マウスカーソルＭｃの移動が停止する度に移動履歴データベースにアクセスし、当該マウスカーソルの停止位置の画素を基準画素とする頻度データを取得する。そして表示処理部１０は頻度データにおける最大度数画素をマウスカーソルＭｃの予測移動先とし、図１０に示すように、当該予測移動先を指向するようにしてマウスカーソルＭｃを表示する。なお表示処理部１０は、所定の基準時間内（例えば０．１秒）におけるマウスカーソルの移動量が所定値以下の場合に当該マウスカーソルが停止したものと判断する。
【００４５】
このように表示処理部１０は、移動履歴データベースに基づいてマウスカーソルＭｃの移動先を予測し、マウスカーソルＭｃを予測移動先に指向して表示することにより、ユーザに対しマウスカーソルＭｃの向きを介して次のマウス操作の指針を提示することができる。
【００４６】
（４）動作及び効果
以上の構成において、オブジェクト輪郭抽出装置１の表示処理部１０は、ユーザによるマウス２の移動操作に応じて表示部４に表示したマウスカーソルＭｃを移動するとともに、カーソル位置履歴Ｄ２をデータ蓄積部１１に蓄積する。
【００４７】
そして表示処理部１０は、カーソル位置履歴Ｄ２に基づいてマウスカーソルＭｃの運動方向を逐次算出し、当該運動方向を指向するようにマウスカーソルＭｃを表示する。これにより表示処理部１０は、ユーザに対してマウスカーソルＭｃの運動方向をリアルタイムに提示することができ、これによりマウスカーソルＭｃの操作性を向上することができる。
【００４８】
さらに表示処理部１０はカーソル位置履歴Ｄ２に基づいて、マウスカーソルＭｃの現在の運動状態に応じたガイドＧｄや円弧ガイドＧｒをマウスカーソルＭｃとともに表示する。これにより表示処理部１０は、マウス２に対する現在の操作状態を続けた場合マウスカーソルＭｃがどのように移動するかを提示することができ、ユーザによるマウス操作をアシストしてマウスカーソルＭｃの操作性を向上することができる。
【００４９】
また表示処理部１０は、表示部４の表示画面における各画素について、マウスカーソルＭｃが当該画素からどの画素へ移動したかという統計情報を、移動履歴データベースとしてデータ蓄積部１１に蓄積する。
【００５０】
そして表示処理部１０はマウスカーソルＭｃが停止する度に、次の移動先を移動履歴データベースに基づいて予測し、当該マウスカーソルＭｃを予測移動先に指向して表示することにより、ユーザによるマウス操作をアシストしてマウスカーソルＭｃの操作性を向上することができる。
【００５１】
（５）他の実施の形態
なお上述の実施の形態においては、現在のマウスカーソルＭｃの運動状態に基づいてガイドＧｄや円弧ガイドＧｒを表示するようにしたが、本発明はこれに限らず、現在の運動状態に基づいてマウスカーソルＭｃの将来位置を予測し、当該予測した将来位置を示すようなガイドを表示するようにしてもよい。
【００５２】
すなわち、現在時刻ｔ０におけるマウスカーソルＭｃの位置及び速度をｓ０及びｖ０とし、当該マウスカーソルＭｃが加速度ａ０をもって等加速度運動するとすれば、将来の時刻ｔｎにおけるマウスカーソルＭｃの将来位置ｓｎは次式で求められる。
【００５３】
【数４】
2004013545.tif 000006
【００５４】
そして表示処理部１０は、マウスカーソルＭｃの現在位置ｓ０から将来位置ｓｎに向けて例えば矢印状の予測ガイドＧｐ（図示せず）を表示することにより、上述したガイドＧｄや円弧ガイドＧｒに比べてより正確なマウスカーソルＭｃの将来位置をユーザに提示することができ、ユーザは当該予測ガイドＧｐを参照して、意図した通りのマウス操作を行うことができる。
【００５５】
また上述の実施の形態においては、操作手段としてマウスを用いた場合について述べたが、本発明はこれに限らず、トラックボールやタッチパッド、あるいはタブレットやジョイスティック等、他の種々のポインティングデバイスを操作手段として用いても良い。
【００５６】
また上述の実施の形態においては、静止画からオブジェクト輪郭を抽出するオブジェクト輪郭抽出装置に本発明を適用した場合について述べたが、本発明はこれに限らず、パーソナルコンピュータやＰＤＡ（Ｐｅｒｓｏｎａｌ　Ｄｉｇｉｔａｌ　Ａｓｓｉｓｔａｎｔ）等、ポインティングデバイスを介してカーソルを操作する他の種々の情報処理装置に本発明を適用しても良い。
【００５７】
さらに上述の実施の形態においては、予め設定された表示制御プログラムに従って上述のマウスカーソルの表示制御処理を行うようにした場合について述べたが、本発明はこれに限らず、表示制御プログラムが格納されたプログラム格納媒体をオブジェクト輪郭抽出装置１にインストールすることによりマウスカーソルの表示制御処理を行うようにしてもよい。
【００５８】
上述した表示制御プログラムをオブジェクト輪郭抽出装置１にインストールして実行可能な状態にするためのプログラム格納媒体としては、例えばフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）等のパッケージメディアのみならず、表示制御プログラムが一時的もしくは永続的に格納される半導体メモリや磁気ディスク等で実現しても良い。また、これらプログラム格納媒体に表示制御プログラムを格納する手段として、ローカルエリアネットワークやインターネット、ディジタル衛星放送等の有線及び無線通信媒体を利用しても良く、ルータやモデム等の各種通信インターフェースを介して格納するようにしても良い。
【００５９】
【発明の効果】
上述のように本発明によれば、ユーザ操作に応じて移動するカーソルの表示位置履歴を記憶しておき、当該表示位置履歴に基づいてカーソルの予測移動方向を算出し、当該算出した予測移動方向に応じてカーソルの表示状態を制御することによりユーザによるカーソル操作をアシストし、かくして操作性に優れたカーソル表示を行い得る情報処理装置を実現できる。
【図面の簡単な説明】
【図１】本発明によるオブジェクト輪郭抽出装置の全体構成を示すブロック図である。
【図２】統合処理ブロックの構成を示すブロック図である。
【図３】マウスカーソルの指向方向制御処理手順を示すフローチャートである。
【図４】マウスカーソルの運動方向表示の状態を示す略線図である。
【図５】マウスカーソルの運動速度表示処理手順を示すフローチャートである。
【図６】マウスカーソルの運動速度表示の状態を示す略線図である。
【図７】マウスカーソルの運動状態表示処理手順を示すフローチャートである。
【図８】マウスカーソルの運動状態表示の状態を示す略線図である。
【図９】移動履歴データベースの説明に供する略線図である。
【図１０】マウスカーソルの指向表示の状態を示す略線図である。
【図１１】従来のマウスカーソルの表示状態を示す略線図である。
【符号の説明】
１……オブジェクト輪郭抽出装置、２……マウス、３……統合表示ブロック、４……表示部、１０……表示処理部、１１……データ蓄積部。
【図１】
2004013545.tif 000007
【図２】
2004013545.tif 000008
【図３】
2004013545.tif 000009
【図４】
2004013545.tif 000010
【図５】
2004013545.tif 000011
【図６】
2004013545.tif 000012
【図７】
2004013545.tif 000013
【図８】
2004013545.tif 000014
【図９】
2004013545.tif 000015
【図１０】
2004013545.tif 000016
【図１１】
2004013545.tif 000017